(57)【要約】【課題】容易にコンピュータのディスプレイに情報を表示させることができる情報伝達システムを提供する。【解決手段】発信器１が、ユーザによって押下されるボタン２と、ボタン２が押下された回数および期間のうち、少なくとも一方に対応した信号を発信する発信手段３とを含む。コンピュータ４が、発信器１の発信手段２が発信した信号を受信する信号受信手段５と、発信器１の発信手段２が発信する信号に応じた信号情報と制御内容を示す制御情報とが対応づけられて記憶される制御情報記憶手段６と、信号受信手段５が受信した信号に応じた信号情報に対応づけられて制御情報記憶手段６に記憶されている制御情報にもとづいて、表示手段に情報を表示させる制御手段７とを含む。【選択図】図８
2010282292.tif 000002
【特許請求の範囲】
【請求項１】
信号を発信する発信器と、前記発信器から発信された信号に応じて表示手段に情報を表示させるコンピュータとを備えた情報伝達システムであって、
前記発信器は、
ユーザによって押下されるボタンと、
前記ボタンが押下された回数および期間のうち、少なくとも一方に対応した信号を発信する発信手段とを含み、
前記コンピュータは、
前記発信器の前記発信手段が発信した信号を受信する信号受信手段と、
前記発信器の前記発信手段が発信する信号に応じた信号情報と制御内容を示す制御情報とが対応づけられて記憶される制御情報記憶手段と、
前記信号受信手段が受信した信号に応じた信号情報に対応づけられて前記制御情報記憶手段に記憶されている前記制御情報にもとづいて、表示手段に情報を表示させる制御手段とを含む
ことを特徴とする情報伝達システム。
【請求項２】
複数のコンピュータを備え、
一のコンピュータは、信号受信手段が受信した信号に応じた信号情報に対応づけられて制御情報記憶手段に記憶されている制御情報を他のコンピュータに送信するための転送情報に変換する変換手段と、
前記変換手段によって制御情報から変換された転送情報を前記他のコンピュータに送信する送信手段とを含み、
前記他のコンピュータは、前記一のコンピュータから送信された転送情報を受信する情報受信手段を含み、
前記他のコンピュータの制御手段は、前記情報受信手段が受信した転送情報にもとづいて、表示手段に情報を表示させる
請求項１記載の情報伝達システム。
【請求項３】
一のコンピュータの制御手段は、送信手段が転送情報を他のコンピュータに送信した場合に、自コンピュータを終了制御する
請求項２記載の情報伝達システム。
【請求項４】
コンピュータはユーザによって指示が入力される入力手段を含み、
制御手段は、前記入力手段に入力された指示に応じて、信号情報に対応づけて制御情報を制御情報記憶手段に記憶させる
請求項１から請求項３のうちいずれか１項記載の情報伝達システム。
【請求項５】
発信器の発信手段は、発信する信号を暗号化する暗号化手段を含み、
コンピュータの信号受信手段は、前記発信器の前記発信手段が発信した信号を受信して復号する復号手段を含む
請求項１から請求項４のうちいずれか１項記載の情報伝達システム。
【発明の詳細な説明】
【技術分野】
【０００１】
本発明は、発信器から発信された信号に応じて表示手段に情報を表示させるコンピュータを備えた情報伝達システムに関する。
【背景技術】
【０００２】
企業等における各職場では、職員は自席から離席する場合に、各自がペンでホワイトボード等の掲示板に行き先等（例えば、外出や帰宅、会議、すぐに戻る等）を記したり、自席のコンピュータのキーボードやマウス等の入力機器に行き先等を入力し、当該コンピュータに予め搭載されているソフトウェアを用いて入力された行き先等を示す画面を他のコンピュータのディスプレイに表示させたりしている。
【０００３】
引用文献１には、送信器から送信された信号にもとづく動作を実行する装置が記載されている。
【先行技術文献】
【特許文献】
【０００４】
【特許文献１】特開２００１−１１１７０５号公報（段落００１６〜００１７、図１）
【発明の概要】
【発明が解決しようとする課題】
【０００５】
離席する職員の各自がペンでホワイトボードに行き先等を記す方法では、ペンの消耗等を定期的に確認したりする管理負担が重い。
【０００６】
また、引用文献１に記載されている装置を用いる場合には、ユーザは、ディスプレイに行き先等を表示させるためにキーボードやマウス等の操作を行わなければならず、手間がかかるという問題がある。
【０００７】
自席のコンピュータに入力された行き先等の情報をＬＡＮ（Ｌｏｃａｌ  Ａｒｅａ  Ｎｅｔｗｏｒｋ）を介して接続された他のコンピュータに送信させて行き先等をディスプレイに表示させることも考えられるが、そのように構成された場合には、ＬＡＮにおける情報の通信量が多いときに、行き先等の情報の送受信に時間がかかり、行き先等を他のコンピュータのディスプレイに表示させるのに時間がかかるという問題がある。
【０００８】
そこで、本発明は、容易にコンピュータのディスプレイに情報を表示させることができる情報伝達システムを提供することを目的とする。
【課題を解決するための手段】
【０００９】
本発明による情報伝達システムは、信号を発信する発信器と、前記発信器から発信された信号に応じて表示手段に情報を表示させるコンピュータとを備えた情報伝達システムであって、前記発信器は、ユーザによって押下されるボタンと、前記ボタンが押下された回数および期間のうち、少なくとも一方に対応した信号を発信する発信手段とを含み、前記コンピュータは、前記発信器の前記発信手段が発信した信号を受信する信号受信手段と、前記発信器の前記発信手段が発信する信号に応じた信号情報と制御内容を示す制御情報とが対応づけられて記憶される制御情報記憶手段と、前記信号受信手段が受信した信号に応じた信号情報に対応づけられて前記制御情報記憶手段に記憶されている前記制御情報にもとづいて、表示手段に情報を表示させる制御手段とを含むことを特徴とする。
【発明の効果】
【００１０】
本発明によれば、容易にコンピュータのディスプレイに情報を表示させることができる。
【図面の簡単な説明】
【００１１】
【図１】本発明による情報伝達システムの第１の実施形態の概略を示す説明図である。
【図２】本発明の第１の実施形態の情報伝達システムの構成例を示すブロック図である。
【図３】第１の実施形態の情報伝達システムの動作を示すフローチャートである。
【図４】本発明による情報伝達システムの第２の実施形態の概略を示す説明図である。
【図５】本発明の第２の実施形態の情報伝達システムの構成例を示すブロック図である。
【図６】第２の実施形態の情報伝達システムの動作を示すフローチャートである。
【図７】転送情報を受信したコンピュータが他のコンピュータに転送情報を送信する場合の構成を示す説明図である。
【図８】本発明の概要を示すブロック図である。
【発明を実施するための形態】
【００１２】
実施形態１．
本発明の第１の実施形態について、図面を参照して説明する。図１は、本発明による情報伝達システムの第１の実施形態の概略を示す説明図である。
【００１３】
図１に示すように、本発明の第１の実施形態の情報伝達システムは、電子キー（発信器）１０が信号を発信し、当該信号を受信したコンピュータ２０，３０，４０，５０が当該信号に応じた動作（具体的には、例えば、表示手段に表示される表示内容の制御）を行う。
【００１４】
図２は、本発明の第１の実施形態の情報伝達システムの構成例を示すブロック図である。なお、図２では、説明の簡単のため、電子キー１０が発信した信号を受信するコンピュータとしてコンピュータ２０のみが示されているが、他のコンピュータ３０，４０，５０も図２に示すコンピュータ２０と同様な構成であるとする。
【００１５】
図２に示すように、電子キー１０は、ボタン部１１および発信部（発信手段、暗号化手段）１２を含む。また、コンピュータ２０は、入力部２１、受信照合部（信号受信手段、復号手段）２２、制御情報記憶部２３、表示部２４、および制御部２５を含む。
【００１６】
ボタン部１１は、１つまたは複数のボタンによって構成される。以下、ボタン部１１を構成するボタンが押下されることを単にボタン部１１が押下されるという。
【００１７】
電子キー１０は、ボタン部１１が押下されたことに応じて信号を発信する装置であり、例えば、自動車の扉の鍵を開錠および施錠するための信号を送信する自動車のキーレスエントリシステムにおける電子キーである。そして、電子キー１０の発信部１２が発信した信号は、当該電子キー１０との距離が１０〜１００メートル程度の範囲内（本例では１０メートル未満の範囲内とする）にあるコンピュータ２０の受信照合部２２によって受信可能であるとする。
【００１８】
つまり、本例では、コンピュータ２０の受信照合部２２と１０メートル未満の距離にある電子キー１０のボタン部１１がユーザによって押下されれば、当該ボタン部１１が押下されたことに応じて発信部１２が発信した信号がコンピュータ２０の受信照合部２２によって受信されるとする。
【００１９】
電子キー１０の発信部１２は、ユーザによってボタン部１１が押下されると所定の形式の信号を発信する。発信部１２は、ボタン部１１が押下された態様（具体的には、例えば、ボタン部１１が所定の時間以上押下される長押しがされたことや、ボタン部１１が所定の時間未満押下される短押しがされたこと、ボタン部１１が予め決められた時間内に短押しをされた回数等）に応じて異なる回数（例えば、ボタン部１１が短押しされた回数）および期間（本例では、所定の時間未満の期間（ユーザによってボタン部１１が短押しされた場合）または所定の時間以上の期間（ユーザによってボタン部１１が長押しされた場合））、信号を発信する。
【００２０】
なお、発信部１２は、ボタン部１１が押下された態様（具体的には、例えば、ボタン部１１が長押しされたことや、ボタン部１１が短押しされたこと、ボタン部１１が短押しをされた回数等）に応じて異なる信号を発信するように構成されていてもよい。また、ボタン部１１が複数のボタンによって構成され、発信部１２は、押下されたボタンに応じて異なる信号を発信するように構成されていてもよい。
【００２１】
表示部２４は、例えば、ＬＣＤ（Ｌｉｑｕｉｄ  Ｃｒｙｓｔａｌ  Ｄｉｓｐｌａｙ：液晶ディスプレイ）によって実現され、制御部２５の制御に応じて情報を表示する。なお、図２に示す例では、表示部２４はコンピュータ２０に搭載されているが、デスクトップコンピュータとしてのコンピュータ２０に接続された別筐体の液晶ディスプレイ等であってもよい。
【００２２】
制御情報記憶部２３には、電子キー１０の発信部１２によって発信される信号を示す情報である信号情報に対応づけられて、制御部２５による制御内容を示す制御情報が記憶されている。
【００２３】
具体的には、制御情報記憶部２３には、ボタン部１１に長押しがされたことに応じて発信部１２から発信される信号を示す信号情報に対応づけられて「外出してしばらく離席」の文言を表示部２４に表示させる制御情報が記憶されていたり、ボタン部１１に短押しが１回されたことに応じて発信部１２から発信される信号を示す信号情報に対応づけられて「帰宅」の文言を表示部２４に表示させる制御情報が記憶されていたり、ボタン部１１に短押しが２回されたことに応じて発信部１２から発信される信号を示す信号情報に対応づけられて「食事」の文言を表示部２４に表示させる制御情報が記憶されていたり、ボタン部１１に短押しが３回されたことに応じて発信部１２から発信される信号を示す信号情報に対応づけられて表示部２４に表示されている文言を消去する制御情報が記憶されていたりする。
【００２４】
受信照合部２２は、電子キー１０の発信部１２によって発信された信号を受信するアンテナを含み、当該アンテナが受信した信号と制御情報記憶部２３に記憶されている信号情報によって示される信号とが合致するか否かを照合する。そして、アンテナが受信した信号と信号情報によって示される信号とが合致した場合に、当該信号情報に対応づけられて制御情報記憶手段２３に記憶されている制御情報を制御部２５に入力する。
【００２５】
制御部２５は、コンピュータ２０の各部を制御する。具体的には、制御部２５は、例えば、受信照合部２２が入力した制御情報に従って表示部２４を制御し、「外出してしばらく離席」等の文言（情報）を表示部２４に表示させる。
【００２６】
なお、制御部２５は、例えば、以下の手順で制御情報記憶部２３に信号情報と制御情報とを対応づけて記憶させる。すなわち、入力部２１に制御情報記憶部２３に制御情報を記憶させるための所定の操作が行われた場合に、制御部２５は、表示部２４に、電子キー１０のボタン部１１への操作と入力部２１への制御内容の入力とをユーザに促す画面を表示させる。
【００２７】
そして、受信照合部２２が電子キー１０の発信部１２から発信された信号を受信し、入力部２１に制御内容が入力された場合に、制御部２５は、受信照合部２２が受信した信号を示す信号情報に対応づけて入力部２１に入力された制御内容に応じた制御情報を制御情報記憶部２３に記憶させる。
【００２８】
従って、ユーザは、入力部２１に所定の操作を行って指示を入力することにより、電子キー１０におけるボタン部１１の操作に応じた制御をコンピュータ２０の制御部２５に行わせることができる。
【００２９】
次に、第１の実施形態の情報伝達システムの動作について説明する。図３は、本実施形態の情報伝達システムの動作を示すフローチャートである。なお、本例では、電子キー１０の発信部１２によって発信された長押しに対応する信号を受信したコンピュータとして、コンピュータ２０を例に説明するが、コンピュータ３０，４０，５０も同様な動作を行う。
【００３０】
ユーザによって離席時に電子キー１０のボタン部１１が長押しされた場合に（ステップＳ１０１）、電子キー１０の発信部１２は、長押しに対応して信号を発信する（ステップＳ１０２）。
【００３１】
電子キー１０の発信部１２によって長押しに対応して発信された信号を受信したコンピュータ２０の受信照合部２２は、制御情報記憶手段２３に記憶されている信号情報によって示される信号と、受信した信号とが合致するか否か照合し（ステップＳ１０３）、合致した場合に（ステップＳ１０４のＹ）、合致した信号を示す信号情報に対応づけられて制御情報記憶手段２３に記憶されている制御情報を制御部２５に入力する（ステップＳ１０５）。
【００３２】
制御部２５は、入力された制御情報に応じた制御を行い、例えば、表示部２４に「外出してしばらく離席」という文言を表示させる（ステップＳ１０６）。
【００３３】
なお、コンピュータ３０，４０，５０の各部においても同様な動作が行われ、コンピュータ３０，４０，５０の表示部にも、例えば、「外出してしばらく離席」という文言が表示される。
【００３４】
なお、表示部２４に表示されている「外出してしばらく離席」という文言は、例えば、以下の処理で消去される。すなわち、ユーザが自席に戻ってきたときに、当該ユーザによって電子キー１０のボタン部１１が３回短押しされ、ボタン部１１に短押しが３回されたことに応じて発信部１２から信号が発信される。そして、発信部１２から発信された信号を受信した受信照合部２２が当該信号を示す信号情報に対応づけられて制御情報記憶部２３に記憶されている制御情報を制御部２５に入力する。制御部２５は、入力された制御情報に応じて表示部２４に表示されている「外出してしばらく離席」という文言を消去する。
【００３５】
本実施形態によれば、発信機１０のボタン部１１になされた操作に応じて、当該発信機１０の発信部１２から発信された信号を受信したコンピュータ２０，３０，４０，５０の各ディスプレイにそれぞれ文言を表示させることができる。
【００３６】
また、電子キー１０の発信部１２が、ボタン部１１になされた操作に応じた信号とともに、電子キー１０のユーザを識別する識別信号（例えば、電子キー１０のユーザが使用するコンピュータ２０のＩＰアドレス）を発信するように構成され、コンピュータ２０，３０，４０，５０の制御部が、受信照合部が受信した識別信号にもとづいて、表示部に文言を表示させるか否かを判断したり、表示部にユーザ名等を表示させたりするように構成されていてもよい。そのように構成された場合には、コンピュータ２０，３０，４０，５０の表示部に、電子キー１０のユーザに応じて文言を表示部に表示させたり、どのコンピュータのユーザの操作にもとづいて文言の表示等がなされたのかを表示させたりすることができる。
【００３７】
実施形態２．
本発明の第２の実施形態について、図面を参照して説明する。図４は、本発明による情報伝達システムの第２の実施形態の概略を示す説明図である。
【００３８】
図４に示すように、本発明の第２の実施形態の情報伝達システムは、電子キー１０が信号を発信し、当該信号を受信したコンピュータ６０が他のコンピュータ７０，８０，９０に情報（転送情報）を送信する。
【００３９】
なお、本実施形態では、電子キー１０のボタン部１１は、当該電子キー１０とコンピュータ６０との距離が１０メートル未満であって（つまり、コンピュータ６０は、電子キー１０の発信部１２が発信した信号を受信可能な位置にある）、コンピュータ７０，８０，９０との距離が１０メートル以上である（つまり、コンピュータ７０，８０，９０は、電子キー１０の発信部１２が発信した信号を受信不可能な位置にある）ときにユーザによって操作されたとする。また、コンピュータ６０と、コンピュータ７０，８０，９０との距離は、転送情報の送受信が可能な距離（例えば、１０メートル未満）である（つまり、コンピュータ７０，８０，９０は、コンピュータ６０が送信した転送情報を受信可能な位置にある）とする。
【００４０】
図５は、本発明の第２の実施形態の情報伝達システムの構成例を示すブロック図である。なお、図５では、説明の簡単のため、電子キー１０が発信した信号を受信するコンピュータとしてコンピュータ６０のみが示されているが、他のコンピュータ７０，８０，９０は図２に示すコンピュータ２０と同様な構成であるが、各コンピュータの受信照合部（情報受信手段）はコンピュータ６０が送信した転送情報を受信するとする。また、電子キー１０の構成は、ボタン部１１がボタンＡとボタンＢとを有し、発信部１２がボタンＡが長押しされた場合とボタンＢが長押しされた場合とで異なる信号を発信する点で第１の実施形態の電子キー１０の構成と異なる。
【００４１】
本実施形態のコンピュータ６０は、送信変換部（変換手段、送信手段）２６を含む点で、図２に示す第１の実施形態のコンピュータ２０の構成と異なる。
【００４２】
制御部２５は、受信照合部２２が入力した制御情報を送信変換部２６に入力する。送信変換部２６は、制御部２５が入力した制御情報を他のコンピュータ（具体的には、コンピュータ７０，８０，９０）の受信照合部が受信可能な形式の転送情報に変換し、変換後の転送情報を当該他のコンピュータに送信する。
【００４３】
他のコンピュータ（具体的には、コンピュータ７０，８０，９０）の受信照合部は、コンピュータ６０の送信変換部２６が送信した転送情報をそれぞれ受信する。そして、当該他のコンピュータの制御部は、受信照合部が受信した転送情報に応じた動作をそれぞれ行う。
【００４４】
なお、他のコンピュータ（具体的には、コンピュータ７０，８０，９０）の制御情報記憶部には、転送情報に対応づけられて制御情報が記憶されているとする。具体的には、制御情報記憶部には、ボタンＡが長押しされたことに応じて電子キー１０の発信部１２によって発信される信号を受信したコンピュータ６０が送信する転送情報に対応づけられて、「すぐに戻る」の文言を表示部に表示させる制御情報が記憶されている。また、制御情報記憶部には、ボタンＢが長押しされたことに応じて電子キー１０の発信部１２によって発信される信号を受信したコンピュータ６０が送信する転送情報に対応づけられて、「外出してしばらく離席」の文言を表示部に表示させる制御情報が記憶されている。
【００４５】
次に、第２の実施形態の情報伝達システムの動作について説明する。図６は、本実施形態の情報伝達システムの動作を示すフローチャートである。
【００４６】
ユーザによって離席時に電子キー１０のボタン部１１におけるボタンＡが長押しされた場合に（ステップＳ２０１のＹ）、電子キー１０の発信部１２は、ボタンＡが長押しされた場合に対応する信号を発信する（ステップＳ２０２）。
【００４７】
電子キー１０の発信部１２によって発信されたボタンＡが長押しされた場合に対応する信号を受信したコンピュータ６０の受信照合部２２は、制御情報記憶手段２３に記憶されている信号情報によって示される信号と、受信した信号とが合致するか否か照合し（ステップＳ２０３）、合致した場合に（ステップＳ２０４のＹ）、合致した信号を示す信号情報に対応づけられて制御情報記憶手段２３に記憶されている制御情報を制御部２５に入力する（ステップＳ２０５）。
【００４８】
制御部２５は、入力された制御情報に応じた制御を行い、例えば、表示部２４に「すぐに戻る」という文言を表示させてもよい。
【００４９】
制御部２５は、入力された制御情報を送信変換部２６に入力する。送信変換部２６は、制御情報を転送情報に変換し、変換後の転送情報を他のコンピュータ（本例ではコンピュータ７０，８０，９０）に送信する（ステップＳ２０６）
【００５０】
コンピュータ６０の送信変換部２６が送信した転送情報を受信した他のコンピュータ（本例ではコンピュータ７０，８０，９０）の受信照合部は、制御情報記憶手段に記憶されている転送情報と、受信した転送情報とが合致するか否かを照合し（ステップＳ２０７）、合致した場合に（ステップＳ２０７のＹ）、合致した転送情報に対応づけられて制御情報記憶手段に記憶されている制御情報を制御部に入力する（ステップＳ２０８）。
【００５１】
制御部は、入力された制御情報に応じた制御を行い、例えば、表示部に「すぐに戻る」という文言を表示させる（ステップＳ２０９）。つまり、他のコンピュータ（本例ではコンピュータ７０，８０，９０）の表示部には、「すぐに戻る」という文言が表示される。
【００５２】
また、ユーザによって離席時に電子キー１０のボタン部１１におけるボタンＢが長押しされた場合に（ステップＳ２０１のＮ）、電子キー１０の発信部１２は、ボタンＢが長押しされた場合に対応する信号を発信する（ステップＳ２１０）。
【００５３】
電子キー１０の発信部１２によって発信されたボタンＢが長押しされた場合に対応する信号を受信したコンピュータ６０の受信照合部２２は、制御情報記憶手段２３に記憶されている信号情報によって示される信号と、受信した信号とが合致するか否か照合し（ステップＳ２１１）、合致した場合に（ステップＳ２１２のＹ）、合致した信号を示す信号情報に対応づけられて制御情報記憶手段２３に記憶されている制御情報を制御部２５に入力する（ステップＳ２１３）。
【００５４】
制御部２５は、入力された制御情報に応じた制御を行い、例えば、表示部２４に「外出してしばらく離席」という文言を表示させてもよい。
【００５５】
制御部２５は、入力された制御情報を送信変換部２６に入力する。送信変換部２６は、制御情報を転送情報に変換し、変換後の転送情報を他のコンピュータ（本例ではコンピュータ７０，８０，９０）に送信する（ステップＳ２１４）
【００５６】
コンピュータ６０の送信変換部２６が送信した転送情報を受信した他のコンピュータ（本例ではコンピュータ７０，８０，９０）の受信照合部は、制御情報記憶手段に記憶されている転送情報と、受信した転送情報とが合致するか否かを照合し（ステップＳ２１５）、合致した場合に（ステップＳ２１５のＹ）、合致した転送情報に対応づけられて制御情報記憶手段に記憶されている制御情報を制御部に入力する（ステップＳ２１６）。
【００５７】
制御部は、入力された制御情報に応じた制御を行い、例えば、表示部に「外出してしばらく離席」という文言を表示させる（ステップＳ２１７）。つまり、他のコンピュータ（本例ではコンピュータ７０，８０，９０）の表示部には、「外出してしばらく離席」という文言が表示される。
【００５８】
本実施形態によれば、電子キー１０の発信部１２から発信された信号にもとづく転送情報をコンピュータ６０が他のコンピュータ７０，８０，９０に送信するので、電子キー１０との距離が所定の距離（本例では１０メートル）よりも遠い場所にあるコンピュータ７０，８０，９０の表示部に文言を表示させることができる。
【００５９】
なお、コンピュータ６０の制御情報記憶手段２３に、所定の信号情報に対応づけて「帰宅」という文言を表示部２４に表示させるための制御情報が記憶されていてもよく、コンピュータ６０の受信照合部２２が当該所定の信号情報によって示される信号を受信した場合に、コンピュータ６０の制御部２５は、送信変換部２６に「帰宅」という文言をコンピュータ７０，８０，９０の表示部に表示させるための転送信号を送信させてから、自コンピュータ６０の終了処理を実行するように構成されていてもよい。また、コンピュータ６０の制御部２５は、終了処理を実行する前に、「帰宅」という文言を表示部２４に表示させてもよい。
【００６０】
そのように構成された場合には、コンピュータ６０のユーザは、当該コンピュータ６０から離れる方向に移動しながら電子キー１０のボタン部１１を操作して、他のコンピュータ７０，８０，９０の表示部に「帰宅」という文言を表示させ、当該コンピュータ６０の終了処理を実行させることができる。
【００６１】
なお、制御部２５が制御情報にもとづいて表示部２４に文言とともに、または文言に代えて形状や画像等を表示させるように構成されていてもよい。
【００６２】
また、コンピュータ６０の送信変換部２６が、転送情報を送信するとともに、自コンピュータ６０を示す識別情報（例えば、コンピュータ６０のＩＰアドレス）を送信するように構成され、コンピュータ７０，８０，９０が、受信した識別情報にもとづいて、表示部にコンピュータ名等を表示させるように構成されていてもよい。また、受信した識別情報にもとづいて、表示部に文言を表示させるか否かを判断するように構成されていてもよい。そのように構成された場合には、コンピュータ７０，８０，９０の表示部に、どのコンピュータのユーザの操作にもとづいて文言の表示等がなされたのかを表示させたり、操作を行ったユーザに応じて文言を表示させなかったりすることができる。
【００６３】
また、ユーザによって入力部２１になされた操作に従って、コンピュータ６０の送信変換部２６が、制御情報にもとづいて表示部２４に表示させる文言（例えば、「会議室Ａ」）と異なる文言（例えば、「会議中」）を他のコンピュータ７０，８０，９０の表示部に表示させるための転送情報を送信するように構成されていてもよい。そのように構成された場合には、コンピュータ６０とコンピュータ７０，８０，９０とが情報を送受信し、コンピュータ６０の表示部２４と他のコンピュータ７０，８０，９０の表示部とで異なる文言を表示させることができる。また、ユーザによって入力部２１になされた操作に応じて、各コンピュータの表示部に表示させる文言等を変更することができる。
【００６４】
また、電子キー１０の発信部１２が暗号化された信号を発信し、コンピュータ６０の受信照合部２２が、暗号化された信号を受信して復号し、他のコンピュータ７０，８０，９０の表示部に文言を表示等させるために復号後の内容にもとづく転送信号を送信するように構成されていてもよい。そのように構成された場合には、電子キー１０の発信部１２から発信された信号にもとづく情報の漏洩を防ぐことができる。
【００６５】
また、電子キー１０は、ボタン部１１が一定時間以上押下されなかった場合に、誤動作防止状態に遷移するように構成されていてもよい。電子キー１０の発信部１２は、誤動作防止状態では、ボタン部１１が押下されても信号を発信しない。そして、電子キー１０は、誤動作防止状態でボタン部１１が長押しされた場合に、誤動作防止状態を終了（通常状態に遷移）する。
【００６６】
また、コンピュータ７０が、さらに他のコンピュータ１００，１１０，１２０に転送情報を送信するように構成されていてもよい。図７は、転送情報を受信したコンピュータが他のコンピュータに転送情報を送信する場合の構成を示す説明図である。図７に示すように構成された場合には、図４に示す構成に比べて、電子キー１０からさらに遠い位置にあるコンピュータ１００，１１０，１２０に文言等を表示させることができる。
【００６７】
以上に述べた各実施形態では、職場等に設置された複数のコンピュータの各表示部に文言を表示させることを例に説明したが、本発明はそのような構成に限定されず、例えば、駐車場に駐車中の複数の自動車のカーナビゲーションシステム等の表示部に文言を表示させるように構成されていてもよい。
【００６８】
具体的には、例えば、満車の駐車場に駐車中の一の自動車の電子キーのボタンが、当該駐車場から出場するためにエンジンを起動する際に押下されると、当該電子キーはカーナビゲーションシステムから現在位置を示す位置情報を取得して発信する。当該満車の駐車場で空車待ちをしている他の自動車のカーナビゲーションシステムは、発信された位置情報にもとづいて、当該一の自動車の位置示す地図画面を当該カーナビゲーションシステムの表示手段に表示させる。
【００６９】
そのように構成された場合には、ショッピングセンタなどの広い駐車場で駐車場所を捜している自動車のカーナビゲーションシステムの表示手段に、駐車可能になる場所を表示させることができる。また、この構成では、自動車のカーナビゲーションシステムや電子キーが情報の送受信を行うので、駐車場自体に設備を整備する必要がないという効果がある。
【００７０】
なお、以上に述べた各実施形態では、電子キー１０は、自動車のキーレスエントリシステムにおける電子キーであるとして説明したが、自動車のキーレスエントリシステムにおける電子キーに限定されず、ボタン部１１になされた操作に応じて信号を発信する発信器であればよく、ボタン部１１を備えた特定小電力無線機等であってもよい。
【００７１】
次に、本発明の概要について説明する。図８は、本発明の概要を示すブロック図である。本発明による情報伝達システムは、発信器１とコンピュータ４とを備える。
【００７２】
そして、発信器１は、ボタン２と発信手段３とを含み、コンピュータ４は、信号受信手段５と制御情報記憶手段６と制御手段７とを含む。
【００７３】
ボタン２はユーザによって押下される。発信手段３は、ボタン２が押下された回数および期間のうち、少なくとも一方に対応した信号を発信する。
【００７４】
信号受信手段５は、発信器１の発信手段３が発信した信号を受信する。制御情報記憶手段６には、発信器１の発信手段３が発信する信号に応じた信号情報と制御内容を示す制御情報とが対応づけられて記憶される。
【００７５】
制御手段７は、信号受信手段５が受信した信号に応じた信号情報に対応づけられて制御情報記憶手段６に記憶されている制御情報にもとづいて、表示手段に情報を表示させる。
【００７６】
そのような構成によれば、発信器１になされた操作に応じて、コンピュータ４の表示手段に情報を表示させることができる。
【００７７】
なお、上記の実施形態には、複数のコンピュータを備え、一のコンピュータが、信号受信手段が受信した信号に応じた信号情報に対応づけられて制御情報記憶手段に記憶されている制御情報を他のコンピュータに送信するための転送情報に変換する変換手段と、変換手段によって制御情報から変換された転送情報を他のコンピュータに送信する送信手段とを含み、他のコンピュータが、当該一のコンピュータから送信された転送情報を受信する情報受信手段を含み、当該他のコンピュータの制御手段は、情報受信手段が受信した転送情報にもとづいて、表示手段に情報を表示させる構成も開示されている。
【００７８】
そのような構成によれば、発信器１の発信手段３が送信した信号を受信したコンピュータが、受信した信号にもとづく転送情報を他のコンピュータに送信し、当該他のコンピュータが転送情報にもとづいて表示手段を制御するので、より遠隔にあるコンピュータの表示手段に情報を表示させることができる。
【００７９】
なお、上記の実施形態には、一のコンピュータの制御手段が、送信手段が転送情報を他のコンピュータに送信した場合に、自コンピュータを終了制御する構成も開示されている。そのような構成によれば、例えば、一のコンピュータのユーザが帰宅する場合に、帰宅することを他のコンピュータの表示手段に表示させて、当該一のコンピュータの動作を終了させることができる。
【００８０】
なお、上記の実施形態には、コンピュータがユーザによって指示が入力される入力手段を含み、制御手段が、入力手段に入力された指示に応じて、信号情報に対応づけて制御情報を制御情報記憶手段に記憶させる構成も開示されている。
【００８１】
そのような構成によれば、コンピュータ４のユーザは、入力手段に所定の操作を行って指示を入力することにより、発信器１におけるボタン２の操作に応じた制御をコンピュータ４の制御手段に行わせることができる。
【００８２】
なお、上記の実施形態には、発信器１の発信手段３が、発信する信号を暗号化する暗号化手段を含み、コンピュータ４の信号受信手段５が、発信器１の発信手段３が発信した信号を受信して復号する復号手段を含む構成も開示されている。
【００８３】
そのように構成された場合には、発信器１の発信手段３から発信された信号にもとづく情報の漏洩を防ぐことができる。
【産業上の利用可能性】
【００８４】
本発明を、コンピュータの表示手段に情報を表示させる情報伝達システムに適用することができる。
【符号の説明】
【００８５】
１、１０  発信器
２  ボタン
３  発信手段
４、２０、３０、４０、５０、６０、７０、８０、９０、１００、１１０、１２０  コンピュータ
５  信号受信手段
６  制御情報記憶手段
７  制御手段
１１  ボタン部
１２  発信部
２１  入力部
２２  受信照合部
２３  制御情報記憶部
２４  表示部
２５  制御部
２６  送信変換部
【図１】
2010282292.tif 000003
【図２】
2010282292.tif 000004
【図３】
2010282292.tif 000005
【図４】
2010282292.tif 000006
【図５】
2010282292.tif 000007
【図６】
2010282292.tif 000008
【図７】
2010282292.tif 000009
【図８】
2010282292.tif 000010